(57)【要約】【課題】  地面に載置した状態での釣竿立て具の安定性を、簡単な構成、作業で向上させ、また持ち運びを容易にする。【解決手段】  ベース部材４０に対して、スライド部材５０を引き出したり押し込んだりすることで、竿立て本体１０の長さを適宜に調整できる。竿立て本体１０を伸ばすと、接地部Ｇ１，Ｇ２から接地部Ｇ３までの距離が長くなるので、スライド部材４０の接地部Ｇ３近傍に砂袋等の錘を載せることにより、接地部Ｇ１，Ｇ２を基準とする釣竿の自重によるモーメントや魚がかかったときの引きによるモーメントに対抗するモーメントを増加させて、釣竿立て具１の安定性を向上させる。持ち運び時には、スライド部材５０をベース部材４０に押し込んで竿立て本体１０の全長を短くする。【選択図】      図１
2006042718.tif 000002
【特許請求の範囲】
【請求項１】
地面に載置された状態で釣竿を保持する釣竿立て具において、
後端に接地部を有し、前端側に支持部材取付け部を有する竿立て本体と、
前記支持部材取付け部に取り付けられて前記竿立て本体を地面に対して傾斜状態で支持する支持部材と、
前記竿立て本体に取り付けられて前記釣竿の竿尻を保持する保持部材とを備え、
前記竿立て本体は、支持部材取付け部を有するベース部材と、
前記接地部を有し、前記ベース部材に対して前後方向スライド可能なスライド部材とを有する、
ことを特徴とする釣竿立て具。
【請求項２】
前記保持部材は、前記竿尻の後端を保持する後受け具と前記竿尻の前側を保持する前受け具とを有する、
ことを特徴とする請求項１に記載の釣竿立て具。
【請求項３】
前記ベース部材は、ほぼ前後方向に向けて、左右に並べて配設された２本の第１パイプ部材を有し、
前記スライド部材は、前記２本の第１パイプ部材によってスライド可能に保持された２本の第２パイプ部材を有する、
ことを特徴とする請求項１又は２に記載の釣竿立て具。
【請求項４】
前記ベース部材は、前記２本の第１パイプ部材によってスライド自在に支持されるとともに前記２本の第１パイプ部材の間隔を保持する第１スペーサ及び第２スペーサを有し、
前記第１スペーサに前記後受け具が設けられ、
前記第２スペーサに前記前受け具が設けられている、
ことを特徴とする請求項３に記載の釣竿立て具。
【請求項５】
前記２本の第１パイプ部材は、前記第１スペーサと前記第２スペーサとを貫通する、
ことを特徴とする請求項４に記載の釣竿立て具。
【請求項６】
前記２本の第２パイプ部材の後端部を連結するとともに前記接地部を構成する連結部材を有する、
ことを特徴とする請求項３ないし５のいずれか１項に記載の釣竿立て具。
【請求項７】
前記２本の第２パイプ部材は、それぞれの先端側が、前記２本の第１パイプ部材のそれぞれの後端側から挿入されている、
ことを特徴とする請求項６に記載の釣竿立て具。
【請求項８】
前記支持部材は、前記ベース部材に沿って折り畳み可能な２本の支脚によって構成されている、
ことを特徴とする請求項１ないし７のいずれか１項に記載の釣竿立て具。
【請求項９】
前記支持部材は、前記ベース部材に対して着脱自在な２本の支脚によって構成されている、
ことを特徴とする請求項４ないし７のいずれか１項に記載の釣竿立て具。
【請求項１０】
取り外した状態の前記２本の支脚を、前記２本の第１パイプ部材間に保持する支脚保持具を備える、
ことを特徴とする請求項９に記載の釣竿立て具。
【請求項１１】
前記支脚保持具は、前記２本の第１パイプ部材に係合されて前記２本の支脚の一方の端部を保持する第１保持具と、前記２本の第１パイプ部材に係合されて前記２本の支脚の他方の端部を保持する第２保持具とを有する、
ことを特徴とする請求項１０に記載の釣竿立て具。
【請求項１２】
前記第１スペーサが前記第１保持具を兼用する、
ことを特徴とする請求項１１に記載の釣竿立て具。
【発明の詳細な説明】
【技術分野】
【０００１】
本発明は、地面に載置された状態で釣竿を保持する釣竿立て具に関する。
【背景技術】
【０００２】
特許文献１に開示されている釣竿立て具は、鉄製の山形鋼からなる立て具本体を、その後端を地面に接地させ、また前端を２本の支脚で支持することで、地面に対して傾斜させて載置する。立て具本体の前端部には前部釣竿保持具が設けられ、また中間部には後部釣竿保持具がもうけられていて、これら保持具によって、釣竿の竿尻を保持するようにしている。
【０００３】
この釣竿立て具においては、立て具本体から左右に複数の丸棒を突設させ、これら丸棒に砂袋を引っ掛けたり載せたりして、釣竿を保持した状態での安定性、さらには魚がかかったときの引きに対する安定性を向上させるようにしている。
【特許文献１】特開２００１−９０号公報
【発明の開示】
【発明が解決しようとする課題】
【０００４】
しかしながら、上述の特許文献１で開示された釣竿立て具においては、地面に設置した状態での安定性をさらに向上させようとすると、砂袋の重量を増加させたり、砂袋の数を増やしたりすることが必要となった。これらの作業は、釣り人にとっては煩雑な作業となるという問題が発生する。
【０００５】
また、特許文献１の釣竿立て具においては、立て具本体を長くして、砂袋を設置する位置を支脚からできるだけ遠い位置に設けることで、安定性を向上させることが可能ではある。
【０００６】
しかしながら、この場合には、立て具本体自体の長さが長くなり、さらに重量が増すことも相俟って、持ち運びに不便となるといった問題が生じる。
【０００７】
そこで、本発明は、これらの問題を解消し、地面に載置された状態での釣竿立て具の安定性を、簡単な構成、作業で向上させることができ、しかも持ち運びに便利な釣竿立て具を提供することを目的とするものである。
【課題を解決するための手段】
【０００８】
請求項１に係る発明は、地面に載置された状態で釣竿を保持する釣竿立て具において、後端に接地部を有し、前端側に支持部材取付け部を有する竿立て本体と、前記支持部材取付け部に取り付けられて前記竿立て本体を地面に対して傾斜状態で支持する支持部材と、前記竿立て本体に取り付けられて前記釣竿の竿尻を保持する保持部材とを備え、前記竿立て本体は、支持部材取付け部を有するベース部材と、前記接地部を有し、前記ベース部材に対して前後方向スライド可能なスライド部材とを有する、ことを特徴とする。
【０００９】
請求項２に係る発明は、請求項１に記載の釣竿立て具において、前記保持部材は、前記竿尻の後端を保持する後受け具と前記竿尻の前側を保持する前受け具とを有する、ことを特徴とする。
【００１０】
請求項３に係る発明は、請求項１又は２に記載の釣竿立て具において、前記ベース部材は、ほぼ前後方向に向けて、左右に並べて配設された２本の第１パイプ部材を有し、前記スライド部材は、前記２本の第１パイプ部材によってスライド可能に保持された２本の第２パイプ部材を有する、ことを特徴とする。
【００１１】
請求項４に係る発明は、請求項３に記載の釣竿立て具において、前記ベース部材は、前記２本の第１パイプ部材によってスライド自在に支持されるとともに前記２本の第１パイプ部材の間隔を保持する第１スペーサ及び第２スペーサを有し、前記第１スペーサに前記後受け具が設けられ、前記第２スペーサに前記前受け具が設けられている、ことを特徴とする。
【００１２】
請求項５に係る発明は、請求項４に記載の釣竿立て具において、前記２本の第１パイプ部材は、前記第１スペーサと前記第２スペーサとを貫通する、ことを特徴とする。
【００１３】
請求項６に係る発明は、請求項３ないし５のいずれか１項に記載の釣竿立て具において、前記２本の第２パイプ部材の後端部を連結するとともに前記接地部を構成する連結部材を有する、ことを特徴とする。
【００１４】
請求項７に係る発明は、請求項６に記載の釣竿立て具において、前記２本の第２パイプ部材は、それぞれの先端側が、前記２本の第１パイプ部材のそれぞれの後端側から挿入されている、ことを特徴とする。
【００１５】
請求項８に係る発明は、請求項１ないし７のいずれか１項に記載の釣竿立て具において、前記支持部材は、前記ベース部材に沿って折り畳み可能な２本の支脚によって構成されている、ことを特徴とする。
【００１６】
請求項９に係る発明は、請求項４ないし７のいずれか１項に記載の釣竿立て具において、前記支持部材は、前記ベース部材に対して着脱自在な２本の支脚によって構成されている、ことを特徴とする。
【００１７】
請求項１０に係る発明は、請求項９に記載の釣竿立て具において、取り外した状態の前記２本の支脚を、前記２本の第１パイプ部材間に保持する支脚保持具を備える、ことを特徴とする。
【００１８】
請求項１１に係る発明は、請求項１０に記載の釣竿立て具において、前記支脚保持具は、前記２本の第１パイプ部材に係合されて前記２本の支脚の一方の端部を保持する第１保持具と、前記２本の第１パイプ部材に係合されて前記２本の支脚の他方の端部を保持する第２保持具とを有する、ことを特徴とする。
【００１９】
請求項１２に係る発明は、請求項１１に記載の釣竿立て具において、前記第１スペーサが前記第１保持具を兼用する、ことを特徴とする。
【発明の効果】
【００２０】
請求項１の発明によると、釣竿立て具は、支持部材と竿立て本体の後端とを地面に接地させて、竿立て本体を傾斜させた状態で安定して地面に載置することができる。そして、竿立て本体に取り付けられた保持部材によって釣竿の竿尻を保持することができる。さらに、竿立て本体は、ベース部材とこのベース部材に対して前後方向スライド可能なスライド部材とを有しているので、前端から後端までの距離を伸縮することができる。したがって、釣竿立て具を地面に載置する際には、例えば、スライド部材を引き出して先端から後端までの距離を伸ばした状態で後端近傍に砂袋等の錘を載せることにより、支持部材の接地部を基準としたモーメントを増加させて、錘の重量を増加させたのと同等の効果を得ることができ、釣竿立て具の安定性を一層向上させることができる。しかも、持ち運び時にはスライド部材を縮めて後端までの距離を短くすることで、持ち運びを容易にすることができる。
【００２１】
請求項２の発明によると、後受け具と前受け具とによって釣竿を竿尻を保持することができる。
【００２２】
請求項３の発明によると、ベース部材とスライド部材をそれぞれ同程度の強度を有する１本の部材で構成する場合に比して、竿立て本体の重量を軽減することができる。
【００２３】
請求項４の発明によると、第１スペーサと第２スペーサとによって２本の第１パイプ部材を所定の間隔を確保した状態で保持することができる。さらに、第１スペーサが後受け具を設ける部材として、また第２スペーサが前受け部を設ける部材として兼用されるので、その分、全体構成を簡略化することができる。
【００２４】
請求項５の発明によると、２本の第１パイプ部材が第１スペーサと第２スペーサとを貫通しているので、これら第１スペーサと第２スペーサとは、２本の第１パイプ部材を確実に所定の間隔に保持することができる。
【００２５】
請求項６の発明によると、２本の第２パイプ部材は、それぞれの後端部が連結部材によって連結されているので、所定の間隔で保持される。
【００２６】
請求項７の発明によると、２本の第２パイプ部材は、それぞれの先端側が、２本の第１パイプ部材のそれぞれの後端側から挿入されているので、前端側が所定の間隔に保持されるとともに、簡単な構成で、２本のパイプ部材に対してスライド可能とすることができる。
【００２７】
請求項８の発明によると、支持部材を構成する２本の支脚がベース部材にそって折り畳み可能であるので、持ち運び時に邪魔にならない。
【００２８】
請求項９の発明によると、支持部材を構成する２本の支脚がベース部材に対して着脱自在であるので、持ち運び時の邪魔にならない。
【００２９】
請求項１０の発明によると、取り外した２本の支脚を、支脚保持部材によって２本の第１パイプ部材の間に保持するので、持ち運び時の省スペース化を図ることができる。
【００３０】
請求項１１の発明によると、取り外した２本の支脚は、それぞれの両端部を、第１保持具と第２保持具とで保持することで、２本の第１パイプ部材の間で確実に保持することができる。
【００３１】
請求項１２の発明によると、第１スペーサが第１保持具を兼用するので、その分、構成を簡素化することができる。
【発明を実施するための最良の形態】
【００３２】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００３３】
図１〜図６を参照して、本発明を適用することができる釣竿立て具について説明する。図１〜図６のうち、図１は釣竿立て具１全体を前方斜め左上方から見た斜視図、図２は釣竿立て具１全体を前方斜め上方から見た斜視図、図３は竿立て本体１０，後受け具３１，前受け具３２等を前方から見た正面図、図４は竿立て本体１０，後受け具３１，前受け具３２等を左方から見た側面図、図５は竿立て本体１０，後受け具３１，前受け具３２等を上方から見た平面図、図６は釣竿立て具１を構成する各部品を上方から見た平面図である。
【００３４】
まず、図１，図２を参照して、釣竿立て具１の構成及び作用の概略を説明する。
【００３５】
図１，図２に示すように、釣竿立て具１は、地面である地面Ｇに載置された状態で釣竿（不図示）を保持するものであって、後端に接地部Ｇ３を有するとともに前端側に支持部材取付け部としての支脚取付け部ａ，ｂを有する竿立て本体１０と、これら支脚取付け部ａ，ｂに取り付けられて竿立て本体１０を地面Ｇに対して傾斜状態で支持する支持部材２０としての２本の支脚２１，２２と、竿立て本体１０に取り付けられて釣竿の竿尻（不図示）を保持する保持部材３０とを備えている。さらに、上述の竿立て本体１０は、支脚取付け部ａ，ｂを有するベース部材４０と、接地部Ｇ３を有し、ベース部材４０に対して前後方向スライド可能なスライド部材５０とを有している。これにより、竿立て本体１０は、その全長（前後方向に長さ）を伸縮させることができる。ここで、竿立て本体１０の全長とは、ベース部材４０の前端からスライド部材５０の後端までの長さであり、ベース部材４０に対してスライド部材５０を前方に移動させることでこの全長を短縮し、逆にベース部材４０に対してスライド部材５０を後方にスライドさせることで全長を伸張することができるようになっている。
【００３６】
次に、図１，図２を中心に、適宜他の図面を参照しながら、釣竿立て具１の構成の及び作用の詳細を説明する。
【００３７】
竿立て本体１０は、上述のように、ベース部材４０とスライド部材５０とを有している。このうちベース部材４０は、ほぼ前後方向に向けて、左右に並べて配設された２本の第１パイプ部材４１，４２と、これら２本の第１パイプ部材４１，４２の間隔を保持する第１スペーサ４３、第２スペーサ４４、第３スペーサ４５とを有している。２本の第１パイプ部材４１，４２は、金属製の中空のパイプによって構成されている。中空パイプとしては、例えば、外径１０ｍｍ、肉厚１．０ｍｍ、長さ９００ｍｍ程度のステンレスのパイプを使用することができる。これら２本のパイプ部材４１，４２は、４３ｍｍ程度の間隔（中心間距離）を隔てて相互に平行に配設されている。
【００３８】
上述の第１スペーサ４３、第２スペーサ４４、第３スペーサ４５は、この順に、第１パイプ部材４１，４２の長手方向（前後方向）の中間部、前端部、後端部にそれぞれ配設されている。第１スペーサ４３は、図２，図５に示すように、左右方向の両端部に、前後方向に貫通された透孔４３ａ，４３ｂが穿設されている。これら透孔４３ａ，４３ｂには、それぞれ上述の第１パイプ部材４１，４２の中間部が貫通される。図５に示すように、これら透孔４３ａ，４３ｂの間には、支脚保持穴４３ｃ，４３ｄが左右に並ぶようにして形成されている。これら支脚保持穴４３ｃ，４３ｄは、第１スペーサ４３の後部において、後方（図５中の左側）に向けて開口されている。これら支脚保持穴４３ｃ，４３ｄは、後述のように、竿立て本体１０から取り外した支脚２１，２２の先端側の先細り部２１ａ，２２ａを挿入するためのものである。つまり第１スペーサ４３は、支脚２１，２２を保持するための第１保持具を兼用している。第１スペーサ４３の上面には、後述の保持部材３０の後受け具３１が設けられている。第１スペーサ４３は、第１パイプ部材４１，４２にガイドされてスライド可能である。ただし、第１スペーサ４３は、例えば釣竿立て具１の使用者によって積極的なスライド動作が行われたときにはスライド可能であるが、それ以外の場合には現状の位置を保持するようになっているものとする。このように、第１スペーサ４３がスライド可能であるので、支脚２１，２２を保持する際の位置調整、及び第１スペーサ４３と一体の後受け具３１の前後方向の位置調整が可能となる。
【００３９】
第２スペーサ４４は、図１，図２，図６に示すように第１パイプ部材４１，４２の前端部４１ｂ，４２ｂが配設されている。第２スペーサ４４は、図１，図２，図３に示すように、正面視がＶ字形のＶ字部４４ａと、その左右両端に固定されたパイプ部４４ｂ，４４ｃと、Ｖ字部４４ａの下面（外面）から左右斜め下方に突設された棒状の支脚取付け部ａ，ｂとが一体に構成されている。これらパイプ部４４ｂ，４４ｃの内側には、それぞれ上述の第１パイプ部材４１，４２の先端部が挿着されている。ここで、２本のパイプ部材４１，４２の双方ともがパイプ部４４ｂ，４４ｃに対してスライド可能である場合には、例えば、第２スペーサ４４に対してこれを前方へ移動させるような力が作用したときに、第２スペーサ４４が第１パイプ部材４２，４２から脱落するおそれがあるので、これら２本の第１パイプ部材４１，４２のうちの少なくとも一方は、パイプ部４４ｂ又はパイプ部４４ｃに対して移動不能に固定することが好ましい。支脚取付け部ａ，ｂには、後述のように着脱自在なパイプ状の支脚２１，２２の基端部（上端部）が嵌合されている。上述のＶ字部４４ａの上面（内面）には、後述の保持部材３０の前受け具３２が設けられている。
【００４０】
第３スペーサ４５は、図２，図５に示すように、左右方向の両端部に、前後方向に貫通された透孔４５ａ，４５ｂが穿設されている。これら透孔４５ａ，４５ｂには、それぞれ上述の第１パイプ部材４１，４２の後端部が貫通される。図５に示すように、これら透孔４５ａ，４５ｂの間には、支脚保持穴４５ｃ，４５ｄが左右に並ぶようにして形成されている。これら支脚保持穴４５ｃ，４５ｄは、第３スペーサ４３の前部において、前方（図５中の右側）に向けて開口されている。これら支脚保持穴４５ｃ，４５ｄは、後述のように、竿立て本体１０から取り外した支脚２１，２２の基端部を挿入するためのものである。つまり第３スペーサ４３は、支脚２１，２２を保持するための第２保持具を兼用している。第３スペーサ４５は、第１パイプ部材４１，４２にガイドされてスライド可能である。ただし、第３スペーサ４５は、上述の第１スペーサ４３と同様、例えば釣竿立て具１の使用者によって積極的なスライド動作が行われたときにはスライド可能であるが、それ以外の場合には現状の位置を保持するようになっているものとする。このように、第３スペーサ４５がスライド可能であるので、支脚２１，２２を保持する際の位置調整が可能となる。
【００４１】
このように、ベース部材４０は、２本の平行な第１パイプ部材４１，４２と、これらを長手方向（前後方向）の中間部、前端部、後端部でそれぞれ保持する第１スペーサ４３、第２スペーサ４４、第３スペーサ４５とによって構成されていて、釣竿立て具１の中心的な構成要素となっている。次に説明するスライド部材５０、後述する支脚２１，２２、保持部材３０は、いずれもこのベース部材４０に取り付けられるようになっている。
【００４２】
上述のベース部材４０とともに竿立て本体１０を構成するスライド部材５０は、図６に示すように、ほぼ前後方向に向けて、左右に並べて配設された２本の第２パイプ部材５１，５２と、これら２本の第２パイプ部材５１，５２の後端部５１ｂ，５２ｂを連結する連結部材５３とを有している。２本の第２パイプ部材５１，５２は、金属製の中空のパイプによって構成されている。中空パイプとしては、例えば、外径が上述のベース部材４０の第１パイプ部材４１，４２よりもわずかに小さい、肉厚１．０ｍｍ、長さ９００ｍｍ程度のステンレスのパイプを使用することができる。これら２本のパイプ部材５１，５２は、第１パイプ部材４１，４２と同じ中心間距離を隔てて相互に平行に配設されている。図６に示すように、連結部材５３は、コ字形に形成された部材であって、左右両端の屈曲部を、第２パイプ部材５１，５２の後端部５１ｂ，５２ｂに挿入して固定されている。この連結部材５３は、釣竿立て具１の使用時には、地面Ｇに接地する接地部Ｇ３となる。このように形成されたスライド部材５０は、第２パイプ部材５１，５２の前端５１ａ，５２ａ（図６参照）側を、ベース部材４０の第１パイプ部材４１，４２の後端４１ａ，４２ａ側から挿入させている。これにより、スライド部材５０は、ベース部材４０に対して前後方向にスライド可能となっている。これにより、ベース部材４０とスライド部材５０とによって構成されている竿立て本体１０は、その全長、すなわちベース部材４０の前端とスライド部材５０の後端との距離を変更することができる。つまり、竿立て本体１０全体としては、伸縮可能となっている。なお、スライド部材５０は、上述の第１スペーサ４３，第３スペーサ４５と同様、例えば釣竿立て具１の使用者によって積極的なスライド動作が行われたときにはスライド可能であるが、それ以外の場合には現状の位置を保持するようになっているものとする。
【００４３】
竿立て本体１０の前端側の支持部材取付け部に取り付けられる支持部材２０、すなわちベース部材４０の前端に位置する第２スペーサ４４の支脚取付け部ａ，ｂに取り付けられる支持部材２０としては、本実施の形態では、２本の支脚２１，２２によって構成されている。支脚２１，２２は、先端（下端）に中実の先細り部２１ａ，２２ａを有しており、この先細り部２１ａ，２２ａを除いて、中空のパイプ状の部材によって形成されている。支脚２１，２２は、例えば、その全長が５００ｍｍ程度に形成されていて、基端部（上端部）を上述の支脚取付け部ａ，ｂに嵌合させることにより、取り付けられている。支脚２１，２２は、支脚取付け部ａ，ｂに対して着脱自在に構成されていて、取付け時（装着時）には、左右方向にほぼ９０度開脚した状態で、地面Ｇに載置される。先細り部２１ａ，２２ａの先端が地面Ｇとの接地部Ｇ１，Ｇ２となる。取り外し時の支脚２１，２２は、上述のベース部材４０の２本の第１パイプ部材４１，４２の間で、かつ第１保持具である第１スペーサ４３と第２保持具である第３スペーサ４５との間に保持される。すなわち、取り外し時の支脚２１，２２は、その基端部を第３スペーサ４５の支脚取保持穴４５ｃ，４５ｄに挿入し、また先端の先細り部２１ａ，２２ａを第１スペーサ４３の支脚保持穴４３ｃ，４３ｄに挿入することで、２本の第１パイプ部材４１，４２の間で保持される。この際、上述のように、第１スペーサ４３、第３スペーサ４５は、スライド可能となっているので、支脚２１，２２の挿入は容易である。
【００４４】
釣竿の竿尻を保持する保持部材３０は、後受け具３１と前受け具３２とによって構成されている。後受け具３１は、図１，図２，図３に示すように環状に形成されており、上述の第１スペーサ４３の上面に固定されて、第１スペーサ４３と一体になっている。なお、後受け具３１は、第１スペーサ４３と別体に形成したものを接合等によって固定するようにしても、またはじめから第１スペーサ４３と一体に形成するようにしてもよい。前受け具３２は、図１，図２，図３に示すようにＵ字形に形成されており、上述の第２スペーサ４４のＶ字部４４ａの上面（内面）に固定されて、第２スペーサ４４と一体になっている。なお、前受け具３２は、第２スペーサ４４と別体に形成したものを接合等によって固定するようにしても、またはじめから第２スペーサ４４と一体に形成するようにしてもよい。保持部材３０は、前受け具３２はベース部材４０に対して移動不能であるが、後受け具３１は第１スペーサ４３が第１パイプ部材４１，４２に沿ってスライド可能であることに基づき、ベース部材４０に対して前後方向に移動可能、つまり位置調整可能となっている。保持部材３０は、後受け具３１の位置調整をした後、後受け具３１により、内側に挿入された釣竿の竿尻の後端を保持し、また前受け具３２により、竿尻の前側を下方から支持するようになっている。
【００４５】
上述の第１スペーサ４３と第２スペーサ４４との間には、釣用発信機を取り付けるための取付け台７０が配設されている。取付け台７０は、第１パイプ部材４１，４２が貫通する管状部７０ａ，７０ｂを連結部７０ｃで連結し、さらに管状部７０ａから斜め上方にステー７０ｄを延設し、このステー７０ｄの先端に管状部７０ｅを固定して構成されている。この管状部７０ｅに、魚がヒットしたことを釣り人に報知する釣用発信機を取り付ける。取付け台７０は、第１パイプ部材４１，４２に沿って前後方向にスライド可能（位置調整可能）である。
【００４６】
以上のように構成された釣竿立て具１は、図１，図２に示すように、３点支持で地面Ｇに載置される。すなわち、支脚２１，２２の先細り部２１ａ，２２ａの先端が接地部Ｇ１，Ｇ２となり、またスライド部材５０の後端の連結部材５３が接地部Ｇ３となって地面Ｇ上に載置される。この際、ベース部材４０に対して、スライド部材５０を引き出したり押し込んだりすることで、竿立て本体１０の長さを適宜に調整することができる。このような釣竿立て具１によると、例えば、スライド部材５０を引き出して竿立て本体１０を伸ばした場合には、接地部Ｇ１，Ｇ２から接地部Ｇ３までの距離を長くとることができる。この状態で、スライド部材４０の接地部Ｇ３近傍に砂袋等の錘を載せることにより、接地部Ｇ１，Ｇ２を基準とする釣竿の自重によるモーメントや魚がかかったときの引きによるモーメントに対抗するモーメントを、錘の重量を増すことなく、増加させることができる。したがって、釣竿立て具１の安定性を一層向上させることができる。しかも、持ち運び時には、スライド部材５０をベース部材４０に押し込んで竿立て本体１０の全長を短くし、さらに、２本の支脚２１，２２を取り外してベース部材４０の２本の第１パイプ部材４１，４２の間に保持することができるので、竿立て本体１全体の持ち運びを容易にすることができる。
【００４７】
以上の説明では、ベース部材４０、スライド部材５０がそれぞれ２本のパイプ部材を有する場合を例に説明したが、本発明は、これに限定されるものではない。ベース部材に対してスライド部材がスライド可能であるという条件を満たすものであれば、他の構成を採用するようにしてもよい。例えば、ベース部材、スライド部材がそれぞれ１本のパイプ部材や従来例で説明した山形鋼を主に構成されるものや、これらを３本以上有するものであってもよい。ただし、釣竿立て具１の持ち運びの利便性を考慮すると、必要最小限の強度及び機能を確保できるのであれば、可及的軽量なものが好ましい。このような観点からは、前述のように、ベース部材４０、スライド部材５０がそれぞれ２本のパイプ部材を有するものが好ましいと思料する。なお、釣竿立て具１の材質としては、構成上任意のものを採用することが可能であるが、強度、重量、耐腐食性、生産性等を総合的に勘案すると、現状では、ステンレスを採用することが好適である。
【００４８】
また以上の説明では、支持部材２０が２本の支脚２１，２２によって構成される場合を例に説明したが、本発明はこれに限定されるものではない。例えば、逆Ｔ字形に形成されて、直線状の接地部を有する１本の支脚によって支持部材２０を構成するようにしてもよい。すなわち、支持部材２０としては、釣竿立て具１を安定した状態で地面Ｇに設置するための少なくとも２点の接地部を確保することができるものであれば、他の任意の構成を採用することが可能である。また、支持部材２０としては、着脱可能な支脚２１，２２に代えて、基端部から折り畳み可能であって、折り畳み時には、ベース部材４０の長手方向に沿って位置するような支脚を使用することもできる。さらに、本体１０に支脚取付け部ａ，ｂを有することもなく、本体１０と支持部材２０、たとえば支脚２１，２２とが一体に形成されているものであってもよい。ただし、持ち運びの利便性等を考慮すると、支脚取り付け部を有し、着脱可能あるいは折りたたみ可能となっていることが好ましいことは言うまでもない。
【００４９】
なお、上述の各部材の寸法や材質は、発明の理解を容易にするための一例であって、これらに限定されるものではない。
【図面の簡単な説明】
【００５０】
【図１】地面に載置された状態の釣竿立て具全体を前方斜め左上方から見た斜視図である。
【図２】地面に載置された状態の釣竿立て具全体を前方斜め上方から見た斜視図である。
【図３】竿立て本体，後受け具，前受け具等を前方から見た正面図である。
【図４】竿立て本体，後受け具，前受け具等を左方から見た側面図である。
【図５】竿立て本体，後受け具，前受け具等を上方から見た平面図である。
【図６】釣竿立て具を構成する各部材（部品）を上方から見た平面図である。
【符号の説明】
【００５１】
１          釣竿立て具
１０        竿立て本体
２０        支持部材
２１，２２  支脚
３０        保持部材
３１        後受け具
３２        前受け具
４０        ベース部材
４１，４２  第１パイプ部材
４３        第１スペーサ，第１保持具
４４        第２スペーサ
４５        第３スペーサ，第２保持具
５０        スライド部材
５１，５２  第２パイプ部材
５３        連結部材
ａ，ｂ      支脚取付け部（保持部材取付け部）
Ｇ          地面
Ｇ１，Ｇ２，Ｇ３
接地部
【図１】
2006042718.tif 000003
【図２】
2006042718.tif 000004
【図３】
2006042718.tif 000005
【図４】
2006042718.tif 000006
【図５】
2006042718.tif 000007
【図６】
2006042718.tif 000008